(57)【要約】【課題】フラットケーブルとコネクタとが嵌合したか否かを作業者が認識し易くする。【解決手段】コネクタ１は、左右方向に並んでいる複数の端子４と、フラットケーブル９を前側から後側に向かって挿入可能なスペースＳ２が形成され、且つ、複数の端子４をスペースＳ２の内側に保持しているハウジング２と、を有してよい。ハウジング２は、スペースＳ２の内側且つ複数の端子４の左右方向に位置し、スペースＳ２の下側から上側に向かって突出し、フラットケーブル９の左側及び右側に形成されている切り欠き又は穴が引っ掛かる２つの係止凸部５２を有してよい。また、ハウジング２は、スペースＳ２の内側に位置し、スペースＳ２の上側に形成され、２つの係止凸部５２よりも左右方向の中心よりに配置され、スペースＳ２に挿入されるフラットケーブル９をスペースＳ２の下側へ付勢する付勢部２６と、を有してよい。【選択図】  図１１
2018073670.tif 000002
【特許請求の範囲】
【請求項１】
左右方向に並んでいる複数の端子と、
フラットケーブルを前側から後側に向かって挿入可能なスペースが形成され、且つ、前記複数の端子を保持しているハウジングと、を有し、
前記ハウジングは、
前記複数の端子の左側に位置し、下側から上側に向かって突出し、前記フラットケーブルの左側に形成されている係合部が引っ掛かる左側の係止凸部と、
前記複数の端子の右側に位置し、下側から上側に向かって突出し、前記フラットケーブルの右側に形成されている係合部が引っ掛かる右側の係止凸部と、
上側から下側に向かって突出し、前記２つの係止凸部の間に配置され、前記スペースに挿入される前記フラットケーブルを下方へ案内するガイド部と、を有している
ことを特徴とするコネクタ。
【請求項２】
前記ガイド部には、後方且つ下方へ向けて斜めに延びている傾斜面が形成されている
ことを特徴とする請求項１に記載のコネクタ。
【請求項３】
前記ガイド部は、前記２つの係止凸部よりも後方に位置している
ことを特徴とする請求項１に記載のコネクタ。
【請求項４】
前記ハウジングの前側には、後方且つ上方へ向けて斜めに延びている第１傾斜面が形成されており、
前記係止凸部の前側には、後方且つ上方へ向けて斜めに延びている第２傾斜面が形成されている
ことを特徴とする請求項１に記載のコネクタ。
【請求項５】
前記端子には、前記スペース内に挿入された前記フラットケーブルの下面と接触する接点が形成されており、
前記接点は、前記係止凸部に形成される前記第２傾斜面よりも後方に位置している
ことを特徴とする請求項４に記載のコネクタ。
【請求項６】
前記左側の係止凸部の右側面には、上方且つ左方へ向けて斜めに延びている傾斜面が形成されており、
前記右側の係止凸部の左側面には、上方且つ右方へ向けて斜めに延びている傾斜面が形成されている
ことを特徴とする請求項１に記載のコネクタ。
【請求項７】
前記ハウジングの前側に配置されるスライダーを更に有し、
前記スライダーは、
前記スペースよりも前方に位置し、前記フラットケーブルが挿通される孔と、
前記孔の上側の縁を構成している押圧部と、
前記押圧部よりも下方に位置し、前記孔の下側且つ前側の縁を構成しているガイド部と、を有している
ことを特徴とする請求項１に記載のコネクタ。
【請求項８】
前記押圧部は、前記フラットケーブルに当接して該フラットケーブルを下側へ押圧する押圧面と、前記押圧面の右側と左側とにそれぞれ位置し、該押圧面よりも上方に位置する２つの隣接面とを有し、
前記２つの隣接面は、前記２つの係止凸部の頂部よりも上方に配置される
ことを特徴とする請求項７に記載のコネクタ。
【請求項９】
前記ハウジングの前側には、後方且つ上方へ向けて斜めに延びている第１傾斜面が形成されており、
前記係止凸部の前側には、後方且つ上方へ向けて斜めに延びている第２傾斜面が形成されており、
前記スライダーの前記押圧部の後側には、後方且つ上方へ向けて斜めに延びている第３傾斜面が形成されており、
前記フラットケーブルは、前記第１傾斜面と前記第３傾斜面との間と、前記第２傾斜面と前記第３傾斜面との間とを通って前記スペースの内側に挿入される
ことを特徴とする請求項７項に記載のコネクタ。
【請求項１０】
前記ハウジングの前側の外面と、前記スライダーの外面とには、窪みを有している外側凹部と、該外側凹部の窪みに嵌る外側凸部とがそれぞれ形成されている
ことを特徴とする請求項７に記載のコネクタ。
【発明の詳細な説明】
【技術分野】
【０００１】
本開示はコネクタに関する。
【背景技術】
【０００２】
下記特許文献１には、フラットケーブルの端部に取り付けられるコネクタが開示されている。特許文献１のコネクタは回路基板に実装され、フラットケーブルと回路基板とを電気的に接続する。特許文献１のコネクタを構成するハウジング（特許文献１においては、コネクタ本体１０）には、複数の端子を保持し、且つ、フラットケーブルの端部を挿入するためのスペースが設けられている。このスペースの内側に挿入されたフラットケーブルの上にスライダー（特許文献１においては、押圧部材）を挿入することで、フラットケーブルの端部を端子の接点に押し付け、フラットケーブルと端子とを電気的に接続している。また、コネクタの内側に設けられたスペースの内側には、コネクタの高さ方向に沿って突出する２つの係止凸部（特許文献１において係止部１５）が形成されている。２つの係止凸部は、複数の端子の左方と右方とに位置し、フラットケーブルの幅方向に形成される切り欠きにそれぞれ引っ掛かる。ここで、付勢部材がフラットケーブルの端部が係止凸部の方向に付勢することで、フラットケーブルのコネクタからの抜けが防止される。
【先行技術文献】
【特許文献】
【０００３】
【特許文献１】特開２００６−２５２９７５号公報
【発明の概要】
【発明が解決しようとする課題】
【０００４】
特許文献１のコネクタでは、フラットケーブルの挿入直後において、フラットケーブルの端部がハウジングのスペースにおける正規の位置（より具体的には、フラットケーブルの切り欠きがハウジングの係止凸部に引っ掛かる位置）に挿入されたことを、作業者は認識することができない場合がある。このため、作業者は、フラットケーブルとコネクタとの嵌合が不完全な状態（いわゆる半嵌合の状態）で、付勢部材を挿入してしまうことがある。
【０００５】
本開示の目的は、フラットケーブルの挿入時に、フラットケーブルとコネクタとが嵌合したか否かを作業者が認識し易くすることである。
【課題を解決するための手段】
【０００６】
本開示に係るコネクタは、左右方向に並んでいる複数の端子と、フラットケーブルを前側から後側に向かって挿入可能なスペースが形成され、且つ、前記複数の端子を保持しているハウジングと、を有してよく、前記ハウジングは、前記複数の端子の左側に位置し、下側から上側に向かって突出し、前記フラットケーブルの左側に形成されている係合部が引っ掛かる左側の係止凸部と、前記複数の端子の右側に位置し、下側から上側に向かって突出し、前記フラットケーブルの右側に形成されている係合部が引っ掛かる右側の係止凸部と、上側から下側に向かって突き出し、前記２つの係止凸部の間に配置され、前記スペースに挿入される前記フラットケーブルを下方へ案内するガイド部と、を有していてよい。これによれば、フラットケーブルとコネクタとが嵌合したか否かを作業者が認識し易くすることができる。
【０００７】
また、コネクタの一形態では、前記ガイド部には、後方且つ下方へ向けて斜めに延びている傾斜面が形成されていることとしてもよい。
【０００８】
また、コネクタの一形態では、前記ガイド部は、前記２つの係止凸部よりも後方に位置していることとしてもよい。
【０００９】
また、コネクタの一形態では、前記ハウジングの前側には、後方且つ上方へ向けて斜めに延びている第１傾斜面が形成されており、前記係止凸部の前側には、後方且つ上方へ向けて斜めに延びている第２傾斜面が形成されていることとしてもよい。
【００１０】
また、コネクタの一形態では、前記端子には、前記スペース内に挿入された前記フラットケーブルの下面と接触する接点が形成されており、前記接点は、前記係止凸部に形成される前記第２傾斜面よりも後方に位置していることとしてもよい。
【００１１】
また、コネクタの一形態では、前記左側の係止凸部の右側面には、上方且つ左方向へ向けて斜めに延びている傾斜面が形成されており、前記右側の係止凸部の左側面には、上方且つ右方向へ向けて斜めに延びている傾斜面が形成されていることとしてもよい。
【００１２】
また、コネクタの一形態では、前記ハウジングの前側に配置されるスライダーを更に有し、前記スライダーは、前記スペースの前側よりも前方に位置し、前記フラットケーブルが挿通される孔と、前記孔の上側の縁を構成している押圧部と、前記押圧部よりも下方に位置し、前記孔の下側且つ前側の縁を構成しているガイド部と、を有していることとしてもよい。
【００１３】
また、コネクタの一形態では、前記押圧部は、前記フラットケーブルに当接して該フラットケーブルを下方へ押圧する押圧面と、前記押圧面の右側と左側とにそれぞれ位置し、該押圧面よりも上方に位置する２つの隣接面とを有し、前記２つの隣接面は、前記２つの係止凸部の頂部よりも上方に配置されることとしてもよい。
【００１４】
また、コネクタの一形態では、前記ハウジングの前側には、後方且つ上方へ向けて斜めに延びている第１傾斜面が形成されており、前記ハウジングの前記係止凸部の前側には、後方且つ上方へ向けて斜めに延びている第２傾斜面が形成されており、前記スライダーの前記押圧部の後側には、後方且つ上方へ向けて斜めに延びている第３傾斜面が形成されており、前記フラットケーブルは、前記第１傾斜面と前記第３傾斜面との間と、前記第２傾斜面と前記第３傾斜面との間とを通って前記スペースの内側に挿入されることとしてもよい。
【００１５】
また、コネクタの一形態では、前記ハウジングの前側の外面と、前記スライダーの外面とには、窪みを有している外側凹部と、該外側凹部の窪みに嵌る外側凸部とがそれぞれ形成されていることとしてもよい。
【図面の簡単な説明】
【００１６】
【図１】本開示に係るコネクタ１及びフラットケーブル９を示す斜視図である。
【図２】コネクタ１の斜視図である。
【図３】コネクタ１の分解図である。
【図４】図２に示すＩＶ―ＩＶ線における断面を示す図である。
【図５】図２に示すＶ―Ｖ線における断面を示す図である。
【図６】挿入中のフラットケーブル９を示す断面図である。
【図７】コネクタ１の正面図である。
【図８】コネクタ１の背面図である。
【図９】図７に示すＩＸ―ＩＸ線における断面を示す図である。
【図１０】図７に示すＸ―Ｘ線における断面を示す図である。
【図１１】コネクタ１の断面を示す図である。
【発明を実施するための形態】
【００１７】
以下に、本実施形態に係るコネクタ１について、図１乃至図１１を参照しながら説明する。図１は、本実施形態に係るコネクタ１及びフラットケーブル９を示す斜視図である。図２は、コネクタ１のスライダー３が前側にスライドしている場合を示す斜視図である。図３は、コネクタ１の分解図である。図４は、図２のＩＶ―ＩＶ線における断面を示す図であり、特にコネクタ１の下側について示す図である。図５は、図２のＶ―Ｖ線における断面を示す図であり、特にコネクタ１の上側について示す図である。図６は、コネクタ１に挿入中のフラットケーブル９について示す図である。図７は、コネクタ１の正面図である。図８は、コネクタ１の背面図である。図９は、図７のＩＸ―ＩＸ線における断面を示す図であり、コネクタ１の左右方向における中心の断面について示す図である。図１０は、図７のＸ―Ｘ線における断面を示す図であり、特にコネクタ１の右よりの断面について示す図である。図１１は、図９に示した位置におけるコネクタ１の断面を示す図であり、スライダー３が前方にスライドしている場合について示す図である。また、図１１には、フラットケーブル９を、ハウジング２の内側に挿入する場合と、スライダー３に形成されている孔Ｓ１の内側に挿入する場合との双方について示している。
【００１８】
各図において、コネクタ１に挿入されるフラットケーブル９の挿入方向（Ｘ１が示す方向）を前方とし、該挿入方向とは逆の方向（Ｘ２が示す方向）を後方とする。また、フラットケーブル９の幅を示す方向（Ｙ１，Ｙ２が示す方向）を、それぞれ左方向、右方向とする。また、フラットケーブル９の厚みを示す方向（Ｚ１，Ｚ２が示す方向）を、それぞれ上方、下方とする。なお、各種の方向は、あくまでもコネクタ１を構成する部位の相対的な位置関係を説明するためのものであり、絶対的な方向を示すものではない。
【００１９】
本実施形態に係るコネクタ１は、平型のフラットケーブル９を、その延伸方向に沿って挿入可能なコネクタである。図１に示すように、コネクタ１は、略角筒状に形成され、その内側にフラットケーブル９が挿入される。フラットケーブル９は、例えば、ＦＰＣ（Flexible Printed Circuit）や、ＦＦＣ（Flexible Flat Cable）としてよい。
【００２０】
図１及び図２に示すように、コネクタ１は、ハウジング２と、ハウジング２の前側に配置されるスライダー３とを有してよい。ハウジング２及びスライダー３は、樹脂などの絶縁性を有する材料により形成されてよい。
【００２１】
図３に示すように、ハウジング２は、該ハウジング２の前面に開口するスペースＳ２を有してよい。ハウジング２のスペースＳ２には、フラットケーブル９を前側から後側に向かって挿入されてよい。また、スペースＳ２は、フラットケーブル９よりも左右方向に幅広に形成されてよい。スペースＳ２は、ハウジング２の左右方向における中心に形成されてよい。
【００２２】
図３、図８、図９、及び図１１に示すように、ハウジング２は、該ハウジング２の上面を構成する上壁２１と、底面を構成する下壁２２と、背面を構成する後壁２３とを有してよい。ここで、上壁２１と下壁２２との間のスペースを、フラットケーブル９が挿入されるスペースＳ２としてよい。
【００２３】
図４、図９、及び図１１に示すように、ハウジング２のスペースＳ２の下側の縁には、後方且つ上方へ向けて斜めに延びている傾斜面２２２が形成されてよい。傾斜面２２２は、ハウジング２の前側に形成されてよい。例えば、傾斜面２２２は、下壁２２の前面２２１に形成されてよく、上面２２３に接続してもよい。図１１に示すように、フラットケーブル９の先端は、ハウジング２に形成されている傾斜面２２２と当接することで、スペースＳ２の内側へ向けてガイドされてよい。
【００２４】
図４に示すように、ハウジング２は、複数の端子４を保持することとしてよい。端子４は、金属などの導電材料により形成されてよい。また、ハウジング２のスペースＳ２内には、複数の端子４が左右方向に沿って並ぶように挿入されてよい。ハウジング２の下壁２２には、溝２２４が形成されてよく、端子４は、この溝２２４の内側に配置されてもよい。
【００２５】
図９及び図１１に示すように、ハウジング２のスペースＳ２内に挿入される端子４は、ハウジング２の後端且つ下端に位置し図示しない回路基板と接続する接続部４１と、接続部４１から上方に延びている支柱部４２と、支柱部４２の上側から前方に延びている上アーム４３と、上アーム４３よりも下方で支柱部４２から前方に延びている第１下アーム４４と、上アーム４３と第１下アーム４４との間で支柱部４２から前方に延びている第２下アーム４５とを有してよい。第1及び第２の下アーム４４，４５は、下方に弾性的に湾曲可能に形成されてよい。また、端子４の上アーム４３と第１及び第２の下アーム４４，４５との間のスペースを、フラットケーブル９が挿入されるスペースＳ２としてもよい。上アーム４３の前端と後端との間には、ハウジング２の後壁２３に引っ掛かる爪部４３１が形成されてもよい。
【００２６】
また、端子４の第１下アーム４４の前端には、後方且つ上方へ向けて斜めに延びている第１傾斜面４４１が形成されてよく、第２下アーム４５の前端には、後方且つ上方へ向けて斜めに延び、第１傾斜面４４１の後方に位置する第２傾斜面４５１が形成されてよい。第１傾斜面４４１の上端と、第２傾斜面４５１の上端とには、フラットケーブル９の下側と接触する接点４９ａ，４９ｂがそれぞれ設けられてよい。接点４９ｂは、接点４９ａよりも後方に設けられてよく、接点４９ａ，４９ｂは、ハウジング２の下壁２２に形成される傾斜面２２２よりも後方に配置されてよい。また、接点４９ａ，４９ｂは、上下方向において同じ位置に配置されてよく、下壁２２の上面２２３よりも上方（例えば、下壁２２に形成されている溝２２４の外側）に配置されてよい。
【００２７】
図８に示すように、ハウジング２の後壁２３には、左右方向に並ぶ複数の孔Ｓ４が形成されてよい。孔Ｓ４は、スペースＳ２と繋がってよく、複数の孔Ｓ４には、複数の端子４がそれぞれ後側から前側に向かって挿入されてよい。
【００２８】
図４、図１０、及び図１１に示すように、ハウジング２のスペースＳ２の下側には、フラットケーブル９を係止するための突起である２つの係止凸部２５（Ｌ），２５（Ｒ）が形成されてよい。係止凸部２５（Ｌ），２５（Ｒ）は、ハウジング２の下壁２２の上面２２３に形成されてよい。係止凸部２５（Ｌ），２５（Ｒ）は、スペースＳ２の下側から上側に向かって突出するように形成されてよい。係止凸部２５（Ｌ）は、左右に並ぶ複数の端子４に対して左側に配置されてよく、係止凸部２５（Ｒ）は、複数の端子４に対して右側に配置されてよい。
【００２９】
また、図６に示すように、フラットケーブル９の左右には、切り欠き、窪み、又は孔を有する係合部９０（Ｌ），９０（Ｒ）が形成されてもよい。係合部９０（Ｌ）は、フラットケーブル９の左側に形成されてよく、係合部９０（Ｒ）は、フラットケーブル９の右側に形成されてよい。以下の説明では、左側に形成されている係合部９０（Ｌ）が、切り欠き９１（Ｌ）及びその前側の縁部９２（Ｌ）を有し、右側に形成されている係合部９０（Ｒ）が切り欠き９１（Ｒ）及びその前側の縁部９２（Ｒ）を有していることとして説明する。
【００３０】
左右の係止凸部２５（Ｌ），２５（Ｒ）には、フラットケーブル９の左側と右側とに形成されている係合部９０（Ｌ），９０（Ｒ）が引っ掛かることとしてよい。例えば、左右の係止凸部２５（Ｌ），２５（Ｒ）は、図６に示すフラットケーブル９の左右の切り欠き９１（Ｌ），９１（Ｒ）にそれぞれ嵌り、前側の縁部９２（Ｌ），９２（Ｒ）に引っ掛かることとしてよい。なお、以下の説明では、左右の係止凸部２５（Ｌ），２５（Ｒ）を、単に係止凸部２５と呼ぶことがある。また、左右の係合部９０（Ｌ），９０（Ｒ）を、単に係合部９０と呼び、左右の切り欠き９１（Ｌ），９１（Ｒ）を、単に切り欠き９１と呼び、切り欠き９１（Ｌ），９１（Ｒ）の前側の縁部９２（Ｌ），９２（Ｒ）を、単に縁部９２と呼ぶこともある。
【００３１】
また、図４に示すように係止凸部２５の前面２５１には、後方且つ上方へ向けて斜めに延びている傾斜面２５２が形成されてよい。また、図４に示すように、左側の係止凸部２５（Ｌ）の右側面には、上方且つ左方向へ向けて斜めに延びている傾斜面２５３（Ｌ）が形成されてよく、右側の係止凸部２５（Ｒ）の左側面には、上方且つ右方向へ向けて斜めに延びている傾斜面２５３（Ｒ）が形成されてよい。また、図１１の断面図において、係止凸部２５の傾斜面２５２は、ハウジング２の下壁２２に形成される傾斜面２２２の延長線上に位置してよい。即ち、下壁２２の傾斜面２２２と、係止凸部２５の傾斜面２５２とは、同一の平面上に形成されてよい。また、係止凸部２５の後面２５５は、ハウジング２の下壁２２の上面２２３に対して略垂直方向に延びていてよい。また、係止凸部２５の頂部２５４は、端子４の接点４９ａ，４９ｂよりも上方に形成されてよい。
【００３２】
図６に示すように、フラットケーブル９をスペースＳ２の内側に挿入する過程で、左側の切り欠き９１（Ｌ）の前側の縁部９２（Ｌ）と、右側の切り欠き９１（Ｒ）の前側の縁部９２（Ｒ）とは、ハウジング２のスペースＳ２内において右側と左側とに形成されている係止凸部２５（Ｌ），２５（Ｒ）に乗り上げてよい。先述したように、各係止凸部２５の前面２５１には、上方且つ後方へ向かい斜めに延びている傾斜面２５２が形成されてよい。このようにすることで、フラットケーブル９の先端が傾斜面２５２に沿って進行し、フラットケーブル９の縁部９２が係止凸部２５を容易に乗り上げられるようになる。また、係止凸部２５の傾斜面２５２は、下壁２２の傾斜面２２２と同一の平面上に形成されてよい。このようにすることで、フラットケーブル９の縁部９２を含む先端は、ハウジング２の前面から係止凸部２５へスムーズに進行できるようになる。さらに、係止凸部２５の頂部２５４は、端子４の接点４９ａ，４９ｂよりも上方に形成されてよい。このようにすることで、フラットケーブル９の先端と接点４９ａ，４９ｂとの接触を避けながら、フラットケーブル９の縁部９２が係止凸部２５を乗り越えることができるようになる。
【００３３】
図５及び図９、図１１に示すように、ハウジング２のスペースＳ２の上側には、フラットケーブル９をスペースＳ２の下側へ案内するための部位である第１のガイド部２６が形成されてよい。第１のガイド部２６は、ハウジング２の上壁２１に形成されてよい。第１のガイド部は、スペースＳ２の上側から下側に向かって突出するように形成されてよい。また、第１のガイド部２６は、左側の係止凸部２５（Ｌ）と、右側の係止凸部２５（Ｒ）との間に配置されてよい。別の言い方をすると、第１のガイド部２６は、２つの係止凸部２５（Ｌ），２５（Ｒ）よりも、ハウジング２の左右方向の中心よりの位置に設けられてよい。また、第１のガイド部２６は、左右方向に並ぶ複数の端子４のうち、左端の端子４と右端の端子４との間に形成されてよい。第１のガイド部２６は、隣り合う２つの端子４の間に形成されてもよい。図５に示した例では、第１のガイド部２６は、ハウジング２の中心付近で隣り合う端子４ａと端子４ｂとの間と、端子４ｂと４ｃとの間とにそれぞれ形成されている。
【００３４】
図１１に示すように、第１のガイド部２６は、２つの係止凸部２５よりも後方に位置してよい。例えば、係止凸部２５は、スペースＳ２の前縁付近に形成されてよく、第１のガイド部２６は、スペースＳ２の後縁付近に形成されてよい。第１のガイド部２６は、端子４の接点４９ａ，４９ｂよりも後方に形成されてよく、後壁２３の前面２３１に接続していてもよい。また、第１のガイド部２６には、後方且つ下方の斜めに延びている傾斜面２６１が形成されていてもよい。傾斜面２６１は、ハウジング２の上壁２１と第１のガイド部２６の下端２６２とに接続していてよい。
【００３５】
係止凸部２５（Ｌ），２５（Ｒ）を乗り上げて上方に持ち上げられたフラットケーブル９は、その先端の左右方向における２つの係止凸部２５（Ｌ），２５（Ｒ）の間の位置で、第１のガイド部２６の傾斜面２６１と当接し、後方且つ下方の斜めに延びている傾斜面２６１に沿って下方にガイドされてよい。これにより、フラットケーブル９は、第１のガイド部２６の下側に配置されることとしてもよい。また、このようにフラットケーブル９が第１のガイド部２６により下側にガイドされることにより、フラットケーブル９は、左右の端が上側に持ち上げられた形状に弾性的に変形してもよい。ここで、図４に示したように、左右の係止凸部２５（Ｌ），２５（Ｒ）の側面には、上方且つ左右方向へ向けて斜めに延びている傾斜面２５３（Ｌ），２５３（Ｒ）が形成されてよい。このように係止凸部２５の側面に傾斜面２５３を形成することで、フラットケーブル９と、ハウジング２の内側で鋭角になる所との接触を避け、フラットケーブル９が前後方向に動く際に、フラットケーブル９を傷つけないようにすることができる。
【００３６】
また、係止凸部２５の上にフラットケーブル９が乗り上げた状態から、更に後方へ向けてフラットケーブル９を押すことで、フラットケーブル９の切り欠き９１にハウジング２の係止凸部２５が嵌り、フラットケーブル９の係合部９０が係止凸部２５に引っ掛かることとしてよい。ここで、フラットケーブル９は、弾性的に変形した形状から元の形状に戻ることで、ハウジング２のスペースＳ２の縁（例えば、下壁２２）を叩くこととしてよい。この際に音が鳴ることで、フラットケーブル９の係合部９０が係止凸部２５に引っ掛かり、フラットケーブル９とコネクタ１とが嵌合したことを、作業者が認識し易くすることができる。
【００３７】
なお、図５に示した例では、第１のガイド部２６がハウジング２の中心付近で隣り合う２つの端子４の間に形成される場合について説明したが、これに限らず、第１のガイド部２６は、２つの係止凸部２５（Ｌ），２５（Ｒ）の間に形成されていればよい。例えば、第１のガイド部２６は、図５に示したよりも、左右の係止凸部２５の一方又は双方に近い位置に形成されてもよい。このようにすることで、フラットケーブル９の縁部９２が持ち上がる角度は、図６に示したよりも急峻となり、フラットケーブル９の係合部９０が係止凸部２５に引っ掛かる際に鳴る音も大きくなる。即ち、作業者は、フラットケーブル９とコネクタ１とが嵌合したことを、より認識し易くなる。
【００３８】
図１０に示すように、フラットケーブル９の縁部９２は、係止凸部２５の後面２５５よりも後方に挿入されてよい。ここで、フラットケーブル９が前方へ向けて引っ張られた際、フラットケーブル９の縁部９２が係止凸部２５の後面２５５に引っ掛かることで、フラットケーブル９の抜けを防止することができる。
【００３９】
また、図９に示すように、フラットケーブル９は、ハウジング２のスペースＳ２内において、該フラットケーブル９の先端が後壁２３の前面２３１に当たる位置まで挿入されてよい。フラットケーブル９がスペースＳ２内に挿入されている場合、フラットケーブル９の先端は、上下方向において、ハウジング２の下壁２２と第１のガイド部２６の下端２６２との間に配置されてよい。このようにフラットケーブル９の先端が第１のガイド部２６の下側に配置されることで、フラットケーブル９の上下方向の動きを規制し、フラットケーブル９の係合部９０が係止凸部２５から外れることを防止することができる。
【００４０】
なお、フラットケーブル９の係合部９０には、図６に示した切り欠き９１が形成される代わりに、凹み又は孔が形成されてもよい。この場合、フラットケーブル９の凹み又は孔の前縁が係止凸部２５に乗り上げた後、フラットケーブル９の凹み又は孔の内側に係止凸部２５が嵌ることとしてよい。
【００４１】
また、ハウジング２のスペースＳ２内に配置される係止凸部２５と第１のガイド部２６とは、例えば樹脂材料により、ハウジング２と一体に形成されてよい。このようにすることで、係止凸部２５と第１のガイド部２６との少なくとも一方が金属材料により形成される場合と比べて、フラットケーブル９を傷つけないようにすることができる。
【００４２】
先述したように、コネクタ１は、ハウジング２の前側に配置されるスライダー３を有してよい。図１及び図２に示すように、スライダー３は、ハウジング２と係合した状態で前後方向に動かせることとしてよい。より具体的には、スライダー３は、該スライダー３がハウジング２と嵌合する第１の位置（図１参照）と、第１の位置よりも前方に離れた第２の位置（図２参照）との間でスライド可能としてよい。ここで、スライダー３は、第１の位置において端子４の接点４９ａ，４９ｂが配置される方向へフラットケーブル９を押圧し、第２の位置においてフラットケーブル９に対する押圧を解除することとしてよい。
【００４３】
また、図２及び図３に示すように、スライダー３には、フラットケーブル９が挿通される孔Ｓ１が形成されてよい。スライダー３の孔Ｓ１は、ハウジング２に形成されるスペースＳ２よりも前方に配置されてよい。孔Ｓ１は、スライダー３の左右方向における中心に形成されてよく、前後方向に沿ってスライダー３を貫通してよい。フラットケーブル９は、スライダー３の前側から孔Ｓ１の内側へ挿入された後、ハウジング２のスペースＳ２に収容されてよい。
【００４４】
図２に示すように、スライダー３の前面３１は、ハウジング２よりも左右方向に幅広に形成されてもよい。このようにスライダー３の前面３１を幅広に形成することで、スライダー３と作業者の指との接触面積を増やし、スライダー３の操作を容易にすることができる。
【００４５】
図２、図３及び図１１に示すように、スライダー３は、前後方向に延びている押圧部３２及び第２のガイド部３３を有してよい。ここで、押圧部３２は、孔Ｓ１の上側の縁を構成してよい。また、第２のガイド部３３は、押圧部３２よりも下方に位置してよく、孔Ｓ１の下側の縁を構成してよい。
【００４６】
図１１に示すように、スライダー３の下側に形成される第２のガイド部３３の上面には、上方且つ後方へ向けて斜めに延びている傾斜面３３１が形成されてよい。フラットケーブル９の先端は、第２のガイド部３３の傾斜面３３１と当接することで、孔Ｓ１の内側へ向けてガイドされてよい。即ち、フラットケーブル９は、ハウジング２のスペースＳ２が位置する方向へ向けてガイドされてよい。
【００４７】
図２及び図１１に示すように、スライダー３に形成される孔Ｓ１の上側の縁は、下方の縁よりも後方に位置してよい。即ち第２のガイド部３３は、押圧部３２よりも前方に位置してよい。このようにすることで、作業者は、コネクタ１の上方から第２のガイド部３３を目視することができ、第２のガイド部３３を目掛けてフラットケーブル９を挿入することができるようになる。コネクタ１の前方且つ上方から斜めに挿入されたフラットケーブル９の先端は、第２のガイド部３３の傾斜面３３１に当たることで、孔Ｓ１の内側へガイドされるように進行方向が修正されてよい。
【００４８】
図９示すように、ハウジング２のスペースＳ２内には、フラットケーブル９の他にも、スライダー３が挿入されてよい。スライダー３の押圧部３２は、ハウジング２の上壁２１の下に挿入され、且つ、スペースＳ２内に挿入されるフラットケーブル９の上に挿入されてよい。押圧部３２は、例えば、端子４の上アーム４３と、第１及び第２の下アーム４４，４５との間に挿入されてよい。
【００４９】
また、スライダー３の押圧部３２には、フラットケーブル９に当接し、このフラットケーブル９を下方に押圧する押圧面３２５が形成されてよい。図９に示すように、スライダー３がハウジング２と嵌合する第１の位置に配置される場合、押圧面３２５は、端子４に形成される２つの接点４９ａ，４９ｂの上方を覆ってよい。ここで、接点４９ａと押圧面３２５との間の距離と、接点４９ｂと押圧面３２５との間の距離は、フラットケーブル９の厚みよりも狭くなることとしてよい。これにより、スライダー３の押圧部３２が挿入されることで、フラットケーブル９と接点４９ａ，４９ｂとは下方へ押圧される。また、接点４９ａ，４９ｂが設けられている第１及び第２の下アーム４４，４５には、弾性的に下方に湾曲した形状から元の形状に戻ろうとする力が作用することとなる。即ち、フラットケーブル９の下側と接点４９ａ，４９ｂとの接圧を確保し、確実に接触させることができるようになる。
【００５０】
図７に示すように、スライダー３を前後方向に貫通する孔Ｓ１は、左右の端が持ち上がる形状とされてよい。ここで、スライダー３の押圧部３２には、押圧面３２５の他にも、押圧面３２５の右側と左側とにそれぞれ位置し、且つ、押圧面３２５よりも上方に位置する２つの隣接面３２６（Ｌ），３２６（Ｒ）が形成されてよい。また、図１０に示すように、２つの隣接面３２６（Ｌ），３２６（Ｒ）は、前後方向に沿って水平に延びていてよく、孔Ｓ１の開口に至るまで延びていてよい。また、スライダー３が第１の位置に配置される場合、左右の隣接面３２６（Ｌ），３２６（Ｒ）は、ハウジング２の左右に形成される係止凸部２５（Ｌ），２５（Ｒ）をそれぞれ覆うこととしてよい。隣接面３２６は、係止凸部２５の頂部２５４よりも上方に離れた位置に配置されてよい。
【００５１】
作業者は、スライダー３を第２の位置に動かし、フラットケーブル９を、該フラットケーブル９の左右の端が持ち上がる形状に曲げることで、フラットケーブル９の係合部９０（例えば、図６に示した縁部９２）を持ち上げて、該係合部９０からハウジング２の係止凸部２５を外し、コネクタ１からフラットケーブル９を引き抜くことができる。ここで、隣接面３２６は、係止凸部２５の頂部２５４よりも上方に離れた位置に配置されるため、作用者は、比較的容易にフラットケーブル９の左右の端が持ち上がる形状に、フラットケーブル９を曲げることができるようになる。
【００５２】
また、図１１に示すように、スライダー３の押圧部３２の後側には、下側の押圧面３２５に接続し、且つ後方且つ上方へ向けて斜めに延びている傾斜面３２７が形成されてよい。スライダー３の押圧部３２がハウジング２のスペースＳ２よりも前方に位置する場合（例えば、スライダー３が第２の位置にある場合）、フラットケーブル９は、ハウジング２の下壁２２に形成されている傾斜面２２２とスライダー３の傾斜面３２７の間と、係止凸部２５に形成されている傾斜面２５２とスライダー３の傾斜面３２７の間とを通ってスペースＳ２の内側に挿入されてよい。このように押圧部３２の後面に傾斜面３２７を形成することで、ハウジング２の傾斜面２２２，２５２に沿って斜め上方に進行するフラットケーブル９の先端が、押圧部３２の後面に当たらないようにすることができる。
【００５３】
また、図９に示すように、スライダー３の押圧部３２の後面には、スライダー３の上面３２９に接続し、且つ後方且つ下方の斜めに延びている傾斜面３２８が形成されてよい。スライダー３がハウジング２と嵌合する第１の位置にあり、押圧部３２がハウジング２のスペースＳ２に挿入されている場合、スライダー３の傾斜面３２８は、ハウジング２に形成される第１のガイド部２６の傾斜面２６１の下方へ配置されてよい。このように、スライダー３の押圧部３２が、ハウジング２に形成されるスペースＳ２の前側に加え、スペースＳ２の後側に形成されている第１のガイド部２６の下にも入り込むことで、前後方向でコネクタ１を小型化できる。
【００５４】
図１乃至図３に示すように、ハウジング２の前側の外面には、窪みを有している外側凹部２１１が形成されてよい。また、スライダー３の外面には、外側凹部２１１の窪みに嵌る外側凸部３２１が形成されてよい。外側凸部３２１は、スライダー３の前面３１に形成される孔Ｓ１の縁から外側へ向かって突出していてよい。例えば、外側凹部２１１は、上壁２１の前面に形成されてよく、外側凸部３２１は、押圧部３２の前端から上側に突出するように形成されてよい。なお、外側凹部２１１及び外側凸部３２１は、コネクタ１の左右方向における中心の位置に形成されてよく、外側凹部２１１は、上壁２１の左右方向における中心の位置において、前側に張り出す部分の間に形成されてよい。
【００５５】
図１に示すように、スライダー３がハウジング２と嵌合する第１の位置にある場合、外側凸部３２１は、外側凹部２１１の内側に嵌ることとしてよい。これにより、スライダー３が第１の位置においてハウジング２に嵌合したことを、作業者が直感的に理解し易くすることができる。また、外側凸部３２１は、ハウジング２の上面に到達するように、上方へ向けて延びていてもよい。これにより、上下方向においてスライダー３とハウジング２との間に生じる隙間にフラットケーブル９を挿入できないことを、作業者が直感的に理解し易くすることができる。
【００５６】
図４に示すように、ハウジング２の下壁２２において、左右の係止凸部２５の間に形成される前面２２１は、係止凸部２５の前面２５１に対して前側に張り出していてもよい。また、スライダー３に形成されている第２のガイド部３３は、ハウジング２の下壁２２が前側に張り出す形状に対応するように凹んでいてもよい。
【００５７】
図３に示すように、スライダー３には、先述した押圧部３２及び第２のガイド部３３の他に、前面３１の後側から後方へ向けて延びている２つの延伸部３４（Ｌ），３４（Ｒ）を有してよい。スライダー３の左側に形成される延伸部３４（Ｌ）は、孔Ｓ１の左側の縁を構成してよく、スライダー３の右側に形成される延伸部３４（Ｒ）は、孔Ｓ１の右側の縁を構成してよい。左右の延伸部３４（Ｌ），３４（Ｒ）は、上端で押圧部３２と繋がっていてよく、下端で第２のガイド部３３と繋がっていてもよい。
【００５８】
図４に示すように、ハウジング２のスペースＳ２内には、フラットケーブル９とスライダー３の押圧部３２との他にも、２つの延伸部３４（Ｌ），３４（Ｒ）が挿入されてよい。左側の延伸部３４（Ｌ）は、左側の係止凸部２５（Ｌ）の左側に、右側の延伸部３４（Ｒ）は、右側の係止凸部２５（Ｒ）の右側にそれぞれ挿入されることとしてよい。このようにスライダー３の延伸部３４（Ｌ），３４（Ｒ）がハウジング２のスペースＳ２内に挿入されることで、スライダー３の上下方向並びに左右方向のがたつきを抑えることができる。
【００５９】
図３に示すように、スライダー３は、スライダー３の前面３１の後側から後方へ向けて延びている２つのアーム３５（Ｌ），３５（Ｒ）を有してもよい。左側の延伸部３４（Ｌ）の左側にはアーム３５（Ｌ）が形成されてよく、右側の延伸部３４（Ｒ）の右側にはアーム３５（Ｒ）が形成されてよい。左右のアーム３５（Ｌ），３５（Ｒ）は、左右方向においてシンメトリーになるように形成されてよい。
【００６０】
また、図４に示すように、ハウジング２のスペースＳ２に対して右側と左側とには、スライダー３の左右のアーム３５（Ｌ），３５（Ｒ）をそれぞれ収容するための２つの孔Ｓ３が形成されてもよい。孔Ｓ３は、前後方向においてハウジング２を貫通してもよい。また、ハウジング２のスペースＳ２と孔Ｓ３との間には、リテーナ５が挿入される隙間が形成されてもよい。
【００６１】
図３に示すように、リテーナ５は、図示しない回路基板と接続する接続部５１と、接続部５１の端から上方に延びている支柱部５２と、支柱部５２の上側から後方へ向けて延び、ハウジング２に引っかかる爪状の部分を有するアーム５３と、アーム５３の下側で前後方向に延びるとともに、左方向又は右方向に湾曲しているバネ部５４とを有してよい。左側の孔Ｓ３に挿入される左側のリテーナ５（Ｌ）と、右側の孔Ｓ３に挿入される右側のリテーナ５（Ｒ）とは、左右方向においてシンメトリーになるように形成されてよい。
【００６２】
図４に示すように、スライダー３の左側のアーム３５（Ｌ）の左側面と、右側のアーム３５（Ｒ）の右側面とには、前後方向に距離を置いて並ぶ２つの凸部３５１，３５２が形成されてよく、これら２つの凸部の間の窪みに、ハウジング２の上下方向に延びる側壁部２８が嵌ることとしてよい。このようにすることで、スライダー３が第２の位置（図２参照）に配置されている状態で、スライダー３の抜けや外れを抑制することができる。また、スライダー３の凸部３５１，３５２が形成される側とは反対側には、凸部３５３が設けられてもよい。リテーナ５のバネ部５４において左右方向に湾曲している部分がスライダー３の凸部３５３と当接することで、スライダー３がハウジング２と篏合する第１の位置に配置されている状態で、スライダー３の抜けや外れを抑制することができるようになる。
【００６３】
以上のように、本開示に係るコネクタ１を構成するハウジング２には、左右の係止凸部２５と、第１のガイド部２６とが形成されてよい。フラットケーブル９は、左右の係止凸部２５に乗り上げた後、係止凸部２５の後方に配置されてよい。この際、フラットケーブル９は、弾性的に曲げられている形状から、元の形状に戻ることで、ハウジング２の下壁２２を叩くこととしてよい。この際に音が鳴ることで、フラットケーブル９の係合部９０が係止凸部２５に引っ掛かり、フラットケーブル９とコネクタ１とが嵌合したことを、作業者にとって認識し易くすることができる。これにより、フラットケーブル９とコネクタ１との半篏合を防止することができるようになる。
【００６４】
なお、本明細書の開示は一例にすぎず、本開示の主旨を保った適宜変更であって当業者が容易に想到し得るものは本開示の範囲に含まれる。また、図面で示す各部の幅、厚さ及び形状等は模式的に表されており、本開示の解釈を限定するものではない。
【符号の説明】
【００６５】
１  コネクタ、２  ハウジング、２１  上壁、２１１  外側凹部、２２  下壁、２２２  傾斜面、２２４  溝、２３  後壁、２５  係止凸部、２５２，２５３  傾斜面、２６  第１のガイド部、２６１  傾斜面、３  スライダー、３１  前面、３２  押圧部、３２１  外側凸部、３２５  押圧面、３２６  隣接面、３２７，３２８  傾斜面、３３  第２のガイド部、３３１  傾斜面、３４  延伸部、３５  アーム、４  端子、４１  接続部、４２  支柱部、４３  上アーム、４３１  爪部、４４  第１下アーム、４４１  傾斜面、４５  第２下アーム、４５１  傾斜面、４９ａ，４９ｂ  接点、５  リテーナ、９  フラットケーブル、９１  切り欠き、９２  縁部、Ｓ１，Ｓ３，Ｓ４  孔、Ｓ２  スペース。
【図１】
2018073670.tif 000003
【図２】
2018073670.tif 000004
【図３】
2018073670.tif 000005
【図４】
2018073670.tif 000006
【図５】
2018073670.tif 000007
【図６】
2018073670.tif 000008
【図７】
2018073670.tif 000009
【図８】
2018073670.tif 000010
【図９】
2018073670.tif 000011
【図１０】
2018073670.tif 000012
【図１１】
2018073670.tif 000013